(57)【特許請求の範囲】
【請求項１】
薬包（２）のための容器において、
当該容器が第１のシェル（６）及び第２のシェル（７）と把持体（１１）とを具備し、  前記第１のシェル（６）及び第２のシェル（７）が、閉位置と開位置との間で互いに対して移動可能であり、且つ、該閉位置において、前記薬包（２）を収容するためのコンパートメント（９）を画成し、前記把持体（１１）が前記コンパートメント（９）の外側に嵌合され且つ第１のジョー（１２ａ）及び第２のジョー（１２ｂ）を具備し、該第１のジョー（１２ａ）及び第２のジョー（１２ｂ）が、前記薬包（２）の中身へのアクセスを可能とする少なくとも一つのアクセス導管（３、４）を把持し且つ該少なくとも一つのアクセス導管（３、４）を解放すべく把持位置と解放位置との間で移動可能であり、
前記把持体（１１）及び前記アクセス導管（３、４）を覆うべく前記第１のシェル（６）及び前記第２のシェル（７）に取外し可能に嵌合する第１のカバー（３０）を具備することを特徴とする、薬包（２）のための容器。
【請求項２】
前記第１のジョー（１２ａ）が前記第１のシェル（６）に固定され、前記第２のジョー（１２ｂ）が前記第１のジョー（１２ａ）及び前記第２のシェル（７）に対して移動可能である、請求項１に記載の容器。
【請求項３】
前記薬包（２）が前記第１のシェル（６）及び前記第２のシェル（７）の外側の前記アクセス導管（３、４）に接続される投与チューブ（１７）も具備し、当該容器が、前記投与チューブ（１７）を覆うべく前記第１のシェル（６）及び前記第２のシェル（７）に取外し可能に嵌合される第２のカバー（１８）も具備する、請求項１又は２に記載の容器。
【請求項４】
前記第２のカバー（１８）が、該第２のカバー（１８）の内側に収容された前記投与チューブ（１７）へのアクセスのための扉（２７）を有する、請求項３に記載の容器。
【請求項５】
前記第２のカバー（１８）が、前記第１のシェル（６）及び前記第２のシェル（７）の少なくとも一つに接触して定置される第１の面（１９）によって境界が定められ、且つ、該第１の面（１９）を通して形成された第１の開口（２２）と、該第１の開口（２２）を少なくとも部分的に閉じる第１のゴム仕切り（２３）とを有し、該第１のゴム仕切り（２３）が、前記投与チューブ（１７）と係合される第１のスリット（２４）を有する、請求項３又は４に記載の容器。
【請求項６】
前記第２のカバー（１８）が、前記第１のシェル（６）及び前記第２のシェル（７）の少なくとも一つに接触して定置される第１の面（１９）と、該第１の面（１９）の反対側の第２の面（２６）とによって境界が定められ、且つ、該第２の面（２６）を通して形成された第２の開口（２５）と、該第２の開口（２５）を少なくとも部分的に閉じる第２のゴム仕切り（２８）とを有し、該第２のゴム仕切り（２８）が、前記投与チューブ（１７）と係合される第２のスリット（２９）を有する、請求項３〜５のいずれか１項に記載の容器。
【請求項７】
前記第１のシェル（６）及び前記第２のシェル（７）上に形成された締結装置（３４）であって、該締結装置（３４）によって当該容器が支持ロッドから懸架される、締結装置（３４）も具備する、請求項１〜６のいずれか１項に記載の容器。
【発明の詳細な説明】
【技術分野】
【０００１】
本発明は薬包容器（drug bag container）に関する。
【背景技術】
【０００２】
薬産業では、可撓性を有する材料から作られた薬包が用いられ、通常、各薬包は注入導管及び投与導管を具備し、注入導管は薬を薬包内に注入すべく薬包の一つの縁から突出し、投与導管は薬を薬包から取り出すべく薬包の一つの縁から突出する。
【０００３】
この種類の薬包は、通常、薬自動製造機上で使用され、薬自動製造機は、ポケット貯蔵庫（pocket store）と計量所（metering station）と把持及び搬送装置（grip-and-carry device）とを具備し、ポケット貯蔵庫は多数のポケットを備え、各ポケットは各薬包を受容し且つ保持するためにあり、計量部は各薬包の内部に薬を生成するためにあり、把持及び搬送装置はポケット貯蔵庫と計量所との間で薬包を移送するためにある。
【０００４】
薬包をポケット貯蔵庫に取り付け且つ把持及び搬送装置を使用して薬包を把持するために、薬包は把持体と関連付けられ、把持体はほぼ平らな二つの相補的なジョー（jaw）を具備し、ジョーは、その高さが注入導管及び投与導管の高さよりも低く、且つ、注入導管及び投与導管を把持する把持位置と解放位置との間で互いに対して回転するように互いにヒンジ連結される。
【０００５】
把持体は一方の端部において単に薬包を把持するように設計され、薬包は把持及び搬送装置によって移送されるときに自由に揺動しうる。この結果、薬包は衝撃及び損傷を受けることがあるので、把持及び搬送装置は比較的遅い進行速度で作動せざるをえず、且つ、薬包は、計量のような操作のために安定するのに比較的長い時間がかかり、このため、記述されたタイプの公知の自動機の比較的長い作動サイクル及び比較的低い生産量がもたらされる。
【発明の概要】
【発明が解決しようとする課題】
【０００６】
本発明の一つの目的は、上記の欠点を解消するように設計された低コストの単純な薬包容器を提供することである。
【課題を解決するための手段】
【０００７】
本発明によれば、添付の特許請求の範囲において請求されたような薬包容器が提供される。
【図面の簡単な説明】
【０００８】
【図１】図１は、一つの作動位置における本発明に係る容器の好ましい実施形態の斜視図を示す。
【図２】図２は、一つの作動位置における本発明に係る容器の好ましい実施形態の斜視図を示す。
【図３】図３は、明確化のために部品が取り外された状態の図１及び図２の容器の分解斜視図を示す。
【図４】図４は、図１及び図２における細部の斜視図を示す。
【発明を実施するための形態】
【０００９】
限定されるものではない本発明の実施形態が添付の図面を参照して例によって記述される。
添付の図面における番号１は全体として薬包２のための容器を示す。
【００１０】
薬包２は、可撓性を有する材料から作られ、ほぼ長方形であり、且つ、端縁５から突出する二つのアクセス導管３、４を有する。導管３は、薬包２１から薬を取り出すための投与導管であり、導管４は、薬を薬包２に注入するための注入導管である。
【００１１】
容器１は二つの硬質シェル６、７を具備し、二つの硬質シェル６、７は、開位置（図４）と閉位置（図１、２）との間で互いに対して且つヒンジ軸線８回りに回転するように互いにヒンジ連結され、閉位置において、薬包２を収容するためのコンパートメント９を画成し、且つ、導管３、４がコンパートメント９の外側に突出することを可能とすべくシェル６、７を通して形成された開口１０を有する。
【００１２】
容器１は、薬自動製造機（図示せず）のロボットアームが薬包２を把持し且つ保持することを可能とすべく、開口１０において、シェル６、７の外側に嵌合された把持体１１も具備する。
【００１３】
把持体１１はほぼ長方形の二つの平らなジョー１２を具備し、（以下１２ａで示される）一方は、シェル６に固定され、ほぼＬ字形状であり、且つ弾性変形可能なタブ１３を有し、（以下１２ｂで示される）他方は、導管３、４を把持する把持位置（図３）と、導管３、４を解放する解放位置（図４）との間で、ジョー１２ａに対して且つ（軸線８と平行な）ヒンジ軸線１４回りに回転するようにジョー１２ａにヒンジ連結される。
【００１４】
軸線８に対して平行に測定するとき、ジョー１２ａ、１２ｂの高さは、ジョー１２ａ、１２ｂが把持位置にあるときに導管３、４が把持体１１の外側に突出することを可能とすべく、導管３、４の高さよりも低い。
【００１５】
ジョー１２ａ、１２ｂは把持位置において歯１５によってロックされ、歯１５は、タブ１３の自由端部に形成され、且つジョー１２ｂの自由端部に形成された凹部１６と係合する。
【００１６】
薬包２は投与チューブ１７も具備し、チューブ１７は、導管３に接続され、シェル６、７の外側に延在し、把持体１１の周りと各シェル６、７の小側面の周りとにほぼＬ字形状に延在し、且つ、ほぼ平行六面体形状の細長い側部カバー１８によって保護される。
【００１７】
カバー１８は、シェル６、７に実質的に接触して定置される平面１９によって境界が定められ、多数の歯２０によってシェル６、７に取り外し可能に嵌合され、多数の歯２０は、面１９から軸線８に対して横方向に突出し、且つ、シェル６、７を通して形成された対応する空洞部２１と係合する。
【００１８】
カバー１８は、チューブ１７がカバー１８の内部に挿入されることを可能とすべく、面１９を通して形成された第１の開口２２を有し、第１の開口２２は、チューブ１７と係合されるスリット２４を備えたゴム仕切り２３によって部分的に閉じられる。
【００１９】
カバー１８は第２の開口２５を有し、第２の開口２５は、カバー１８の面１９のほぼ反対側にあり且つ面１９と平行な面２６を通して形成され、チューブ１７へのアクセスのための扉２７によって部分的に閉じられ、且つ、チューブ１７と係合されたスリット２９を備えたゴム仕切り２８によって部分的に閉じられる。
【００２０】
容器１はほぼ平行六面体形状のカバー３０も具備し、カバー３０は導管３、４、把持体１１及びチューブ１７の一部を覆うべくカバー８に対して横方向にシェル６、７に嵌合され且つ歯３１によってカバー１８に取外し可能に固定され、歯３１は、カバー３０から歯２０に対して平行に突出し、且つ、面１９を通して形成された空洞部３２と係合する。
【００２１】
実際の使用では、薬包２がシェル６と７との間に挿入されると、シェル６、７が閉じられ、投与チューブ１７が投与導管３に接続され、側部カバー１８がチューブ１７を覆うべくシェル６、７に嵌合される。
【００２２】
この時点で、薬を生成するために、薬包２、シェル６、７、チューブ１７及びカバー１８によって形成された組立体が、少なくとも一つの薬及び／又は少なくとも一つの溶剤を薬包２内に注入すべく前記自動機（図示せず）に通される。
【００２３】
薬が生成されると、カバー３０がシェル６、７上に嵌合され且つカバー１８に締結され（図１）、容器１が病院の薬局に配送される。
【００２４】
薬を投与するために、カバー１８における扉２７が開かれ、チューブ１７が容器１から引き出されて仕切り２８を通して曲げられ（図２）、扉２７が閉じられ、容器１がシェル６上の締結装置３４によって公知の支持ロッド（図示せず）から懸架される。
【図１】
0006054633.tif 000002
【図２】
0006054633.tif 000003
【図３】
0006054633.tif 000004
【図４】
0006054633.tif 000005